(57)【要約】【課題】ラックキャビネット中の各ラックに搭載される情報処理装置の搭載状況を容易に管理および把握することができるラック管理システム、ならびにこのラック管理システムにおける表示装置および制御装置を実現する。【解決手段】ラックキャビネット２中の各ラックに搭載される情報処理装置３の搭載状況を管理するラック管理システム１は、ラックキャビネット２中の各ラックに搭載された情報処理装置３の識別情報を書き換え可能に表示する、当該情報処理装置３ごとに設けられる表示装置１１と、表示装置１１に表示される識別情報を制御する制御装置１２と、を備える。【選択図】図１
2008217241.tif 000002
【特許請求の範囲】
【請求項１】
ラックキャビネット中の各ラックに搭載される情報処理装置の搭載状況を管理するラック管理システムであって、
ラックキャビネット中の各ラックに搭載された情報処理装置の識別情報を書き換え可能に表示する、当該情報処理装置ごとに設けられる表示装置と、
前記表示装置に表示される識別情報を制御する制御装置と、
を備えることを特徴とするラック管理システム。
【請求項２】
ラックキャビネット中の各ラックに搭載された情報処理装置に対応して前記表示装置を当該ラック近傍に装着する装着手段をさらに備える請求項１に記載のラック管理システム。
【請求項３】
各前記装着手段は、情報処理装置が搭載されたラックの前面に設けられる請求項２に記載のラック管理システム。
【請求項４】
各前記装着手段は、情報処理装置が搭載されたラックの背面に設けられる請求項２に記載のラック管理システム。
【請求項５】
前記制御装置と各前記表示装置との間で無線通信する無線通信手段をさらに備える請求項１に記載のラック管理システム。
【請求項６】
前記制御装置と１つの前記表示装置との間および前記１つの表示装置と他の前記表示装置との間を電気的に縦続接続するケーブルをさらに備える請求項１に記載のラック管理システム。
【請求項７】
各前記表示装置が表示する識別情報を撮像する撮像手段をさらに備え、
前記制御装置が、前記撮像手段による撮像結果をディスプレイモニタの画面上にＯＳＤ表示させるためのオンスクリーンディスプレイ手段を有する請求項１に記載のラック管理システム。
【請求項８】
各前記表示装置が表示する識別情報を撮像する撮像手段をさらに備え、
前記制御装置が、前記撮像手段による撮像結果をディスプレイモニタの画面上に表示させる制御プログラムを格納するメモリと、前記制御プログラムを実行する演算手段と、を有する請求項１に記載のラック管理システム。
【請求項９】
ラックキャビネット中の各ラック近傍に装着され、当該ラックに搭載された情報処理装置の搭載状況に関する情報を書き換え可能に表示することを特徴とする表示装置。
【請求項１０】
ラックキャビネット中の各ラックに搭載された情報処理装置の搭載状況に関する情報の書き換えを指示するコマンドおよび当該情報処理装置の新たなる搭載状況に関する情報を受信する受信手段を備える請求項９に記載の表示装置。
【請求項１１】
情報処理装置が搭載されたラックの前面に装着される請求項９に記載の表示装置。
【請求項１２】
情報処理装置が搭載されたラックの背面に装着される請求項９に記載の表示装置。
【請求項１３】
ラックキャビネット中の各ラック近傍に装着されかつ当該ラックに搭載された情報処理装置の搭載状況に関する情報を表示する表示装置の表示内容を制御することを特徴とする制御装置。
【請求項１４】
前記表示装置が表示する情報処理装置の搭載状況に関する情報についての表示内容の書き換えを指示するコマンドおよび当該情報処理装置の新たなる搭載状況に関する情報を、前記表示装置へ送信する送信手段を備える請求項１３に記載の制御装置。
【請求項１５】
各前記表示装置が表示する表示内容を撮像手段が撮像した撮像結果を、ディスプレイモニタの画面上にＯＳＤ表示させるためのオンスクリーンディスプレイ手段と、を備える請求項１３に記載の制御装置。
【請求項１６】
各前記表示装置が表示する表示内容を撮像手段が撮像した撮像結果を、ディスプレイモニタの画面上に表示させる制御プログラムを格納するメモリと、
前記制御プログラムを実行する演算手段と、
を備える請求項１３に記載の制御装置。
【発明の詳細な説明】
【技術分野】
【０００１】
本発明は、ラックキャビネット中の各ラックに搭載される情報処理装置の搭載状況を管理するラック管理システム、ならびにこのラック管理システムにおける表示装置および制御装置に関する。
【背景技術】
【０００２】
近年、サーバ等の情報処理装置は高密度に実装され、省スペース化が図られている。例えば、ラックキャビネット中の各ラックに情報処理装置を搭載することにより、情報処理装置を何層も積み上げて実装するラックマウントシステムがある。図１８は、典型的なラックマウントシステム１００を例示する外観図である。
【０００３】
ラックマウントシステムとして、省スペース・省力化対策、発熱対策、セキュリティ対策等の多機能化を目指したものがある（例えば、特許文献１参照）。
【０００４】
同じく多機能化を目指したラックマウントシステムとして、搭載されたサーバをカメラを用いて管理するものがある（例えば、特許文献２参照）。
【０００５】
【特許文献１】特開２０００−３３４０５９号公報
【特許文献２】特開２００３−１７４２７３号公報
【発明の開示】
【発明が解決しようとする課題】
【０００６】
多機能化を目指した従来のラックマウントシステムでは、省スペース・省力化対策、発熱対策、セキュリティ対策については一定の効果が得られているものの、どのサーバをラックキャビネットのどの段のラックに搭載したかといった設計管理や、ラックに搭載されたサーバはどの電源分配装置（ＰＤＵ）のポートに接続されているかといった運用管理については、特段の効果が得られていない。
【０００７】
例えば、ラックキャビネットのシステムを構築した設計者自身にとっては上記のような設計管理や運用管理について特に問題が生じないが、それ以外の人にとっては、配線の複雑化、ラックの重層化あるいは設置スペースの狭さなどから、システムの構築内容が分かりにくく、サーバの搭載状況を即座に把握できないといった問題があった。特にシステム構築後に、設計変更を行うとさらに事態が複雑になる。
【０００８】
従って本発明の目的は、上記問題に鑑み、ラックキャビネット中の各ラックに搭載される情報処理装置の搭載状況を容易に管理および把握することができるラック管理システム、ならびにこのラック管理システムにおける表示装置および制御装置を提供することにある。
【課題を解決するための手段】
【０００９】
上記目的を実現するために、本発明においては、ラックキャビネット中の各ラックに搭載される情報処理装置の搭載状況を管理するラック管理システムは、ラックキャビネット中の各ラックに搭載された情報処理装置の識別情報を書き換え可能に表示する、当該情報処理装置ごとに設けられる表示装置と、この表示装置に表示される識別情報を制御する制御装置と、を備える。
【００１０】
また、ラック管理システムは、各表示装置が表示する識別情報を撮像する撮像手段と、この撮像手段による撮像結果をディスプレイモニタの画面上にＯＳＤ表示させるためのオンスクリーンディスプレイ手段と、をさらに備える。あるいはまた、ラック管理システムは、各表示装置が表示する識別情報を撮像する撮像手段と、この撮像手段による撮像結果をディスプレイモニタの画面上に表示させる制御プログラムを格納するメモリと、この制御プログラムを実行する演算手段と、をさらに備える。
【００１１】
このように本発明においては、表示装置は、ラックキャビネット中の各ラック近傍に装着され、当該ラックに搭載された情報処理装置の搭載状況に関する情報を書き換え可能に表示する。また、制御装置は、  ラックキャビネット中の各ラック近傍に装着されかつ当該ラックに搭載された情報処理装置の搭載状況に関する情報を表示する表示装置の表示内容を制御する。
【発明の効果】
【００１２】
本発明によれば、ラックキャビネットのシステムを構築した設計者以外の人であっても、どのサーバ（情報処理装置）をラックキャビネットのどの段のラックに搭載したかを容易に把握することができる。また、ラックに搭載されたサーバがどの電源分配装置（ＰＤＵ）のポートに接続されているかについても容易に把握することができる。また、配線が複雑であったり、設置スペースに余裕がないような場合であっても、ラックキャビネット内のサーバの搭載状況を容易に把握することができる。また、システム構築後に設計変更があっても、サーバの搭載状況を容易に管理することができる。
【発明を実施するための最良の形態】
【００１３】
図１は本発明の実施例によるラック管理システムの前面図であり、図２は本発明の実施例によるラック管理システムの背面図である。また、図３は、本発明の実施例による表示装置を示す外観図である。以降、異なる図面において同じ参照符号が付されたものは同じ機能を有する構成要素であることを意味するものとする。
【００１４】
ラックキャビネット２中の各ラックに搭載される情報処理装置３の搭載状況を管理するラック管理システム１は、ラックキャビネット２中の各ラックに搭載された情報処理装置であるサーバ３の識別情報を書き換え可能に表示する、当該サーバ３ごとに設けられる表示装置１１と、表示装置１１に表示される識別情報を制御する制御装置１２と、を備える。
【００１５】
特に図３に示すように、表示装置１１は、他の表示装置１１と電気的に縦続接続されて表示装置群１０−Ｆおよび１０−Ｂを構成する。なお、この電気的接続についての縦続接続にはケーブルが用いられる。また、制御装置１２と１つの表示装置１１との間についてもケーブルを介して電気的に接続される。このケーブルを介して各種データの送受信および表示装置１１への電力供給が行われる。この変形例として、後述するように無線通信手段を用いて電気的に接続してもよい。
【００１６】
ラックキャビネット２内のサーバ３を粉塵からまもるために、ラックキャビネット２の前面には扉２０−Ｆが設けられ、背面には扉２０−Ｂが設けられる。また、ラックキャビネット２の前面には、ディスプレイモニタ２１−Ｖならびにキーボードおよび／またはマウスからなるコンソールドロア２１が設けられる。例えばサーバメンテナンスの際には、この扉２０が開かれ、コンソールドロア２１が操作される。
【００１７】
図示の例では、表示装置群１０は、装着手段を介して、情報処理装置が搭載されたラックキャビネット２の前面および背面に設けられる。なお、装着手段については後述の図４および５を参照して説明する。
【００１８】
表示装置群１０内の各表示装置１１は、ラックキャビネット２中の各ラック近傍に装着され、当該ラックに搭載された情報処理装置の搭載状況に関する情報を書き換え可能に表示する。すなわち、表示装置１１の表示内容は、例えば情報処理装置の名称や識別情報、あるいは、ラックキャビネット２の背面にある電源分配装置（ＰＤＵ）の接続ポート名などがある。したがって、本発明により、ラックキャビネットのシステムを構築した設計者以外の人であっても、どのサーバ（情報処理装置）をラックキャビネットのどの段のラックに搭載したかを容易に把握することができ、また、ラックに搭載されたサーバはどの電源分配装置（ＰＤＵ）のポートに接続されているかについても容易に把握することができるといったように設計管理の向上が図られる。なお、表示装置１１の表示内容の書き換えについては後述する。
【００１９】
本実施例では、表示装置１１は、例えば液晶ディスプレイで構成されるが、ブラウン管、有機ＥＬあるいはプラズマディスプレイなどその他の表示装置であってもよい。表示装置１１の高さは、ラックキャビネット２中の各ラックに搭載された情報処理装置に対応して該ラック近傍に設置されるので、ラックの間隔に合わせて本実施例では３ｃｍ程度とするが、本発明はこれに限定されるものではなく、その他の高さを有してもよい。なお、表示装置１１の幅は、本実施例では５ｃｍ程度とするが、本発明はこれに限定されるものではなく、その他の幅を有してもよい。
【００２０】
ラックキャビネット２の背面には扉２０−Ｂには撮像手段１３が設けられる。撮像手段１３は、ラックキャビネット２の背面に設けられた表示装置群１０−Ｂの各表示装置１１が表示する識別情報等の表示内容を撮像する。撮像手段１３は、一般的なカメラでよく、あるいは、暗視カメラ、ＣＣＤカメラ、魚眼レンズを備えたカメラなどでもよい。撮像内容も動画、静止画を問わない。なお、ラックキャビネット２の前面に設けられた表示装置群１０−Ｆの各表示装置が表示する識別情報等の表示内容を撮像するための撮像手段を別途設けてもよい。
【００２１】
撮像手段１３による撮像結果は、ラックキャビネット２の前面に設けられたコンソールドロア２１のディスプレイモニタ２１−Ｖに表示する。これにより、例えばラックキャビネット２の背面の配線を点検する際、従来のようにラックキャビネット２の背面に回りこまなくとも、ラックキャビネット２の前面に設けられたコンソールドロア２１のディスプレイモニタ２１−Ｖの表示を確認するだけで済む。したがって、本発明により、サーバ３間の配線が複雑であったり、設置スペースに余裕がないような場合であっても、ラックキャビネット２内のサーバの搭載状況を容易に把握することができるといったように運用管理の向上が図られる。なお、ディスプレイモニタ２１−Ｖに撮像結果を表示させる方法の詳細については後述する。
【００２２】
図４および５は、本発明の実施例における表示装置の装着手段を示す図であり、図４は前面図、図５は背面図である。また、図６は、ケーブルの巻き取り機構を示す図である。上述のように表示装置群１０は情報処理装置が搭載されたラックキャビネット２の前面および背面に設けられる。また、各表示装置１１は、対応するサーバ３が搭載されたラック近傍に装着される。このための装着手段は次のようにして構成される。
【００２３】
支持板３２上にはネジ孔３３が複数設けられており、各表示装置１１が、対応するサーバ３が搭載されたラック近傍に位置することになるようネジ孔３３を選んだ上で、表示装置１１をネジ孔３３にネジ３４で固定する。支持板３２上にはネジ孔３３の他にラック取付孔３５が設けられており、支持板３２はラック取付孔３５を介してラックキャビネット２に装着される。
【００２４】
表示装置１１は他の表示装置１１と電気的に縦続接続されて表示装置群１０−Ｆおよび１０−Ｂを構成するが、この電気的接続についての縦続接続にはケーブル３１が用いられる。表示装置１１のディスプレイ画面の反対側の面である背面には、連結ジャック３６が設けられる。同様にして、表示装置１１の背面には、ケーブル３１の一端が電気的および物理的に固定されている。ケーブル１１の他の一端には連結プラグ３７が設けられており、この連結プラグ３７を他の表示装置１１に設けられた連結ジャック３６に連結することにより、表示装置１１は他の表示装置１１と電気的に接続される。同様にして、制御装置１２と１つの表示装置１１との間についてもケーブルを介して電気的に接続される。これにより、各表示装置１１は電気的に縦続接続され、これら互いに縦続接続された表示装置１１のうちの一端の常時装置が、制御装置１２と電気的に接続されることになる。
【００２５】
表示装置１１間の距離は、当該表示装置１１を支持板３２のネジ孔３３のどの位置に取り付けるかによって画定されるが、システム構築の容易さや今後のサーバの搭載位置の設計変更等を考慮してケーブル１１の長さは伸縮自在とする。このための機構として、ケーブル巻き取り機構３８を設ける。ケーブル巻き取り機構３８は、円柱の二重構造となっており、これら二重構造の間には、ゼンマイバネで接続されていて各円柱に接続されたケーブル１１がゼンマイバネの伸縮により巻き取られる構造を有する。
【００２６】
図７は、本発明の実施例によるラック管理システムのブロック図である。ラック管理システム１内の制御装置１２には、表示装置群接続用コネクタ４１−Ｆおよび４１−Ｂが設けられる。表示装置群接続用コネクタ４１−Ｆにはラックキャビネット２の前面に設けられる表示装置群１０−Ｆが電気的に接続され、表示装置群接続用コネクタ４１−Ｂにはラックキャビネット２の背面に設けられる表示装置群１０−Ｂが電気的に接続される。この電気的接続については上述したとおりである。
【００２７】
また、制御装置１２には、撮像手段１３を接続するための撮像手段接続用コネクタ４２が設けられる。またさらに、制御装置１２には、キーボード接続用コネクタ４３−Ｋ、ビデオ出力用コネクタ４３−Ｖおよびマウス接続用コネクタ４３−Ｍが設けられ、それぞれ、コンソールドロア２（図７には示さず）のキーボード、ディスプレイモニタおよびマウスが接続されることになる。なお、キーボード接続用コネクタ４３−Ｋ、ビデオ出力用コネクタ４３−Ｖおよびマウス接続用コネクタ４３−Ｍには、後述するようにＫＶＭスイッチが接続されることもある。また、制御装置１２は、オンスクリーンディスプレイ手段１４、メイン制御部１５、およびメモリ１６を備える。
【００２８】
オンスクリーンディスプレイ手段１４は、撮像手段１３による撮像結果をディスプレイモニタの画面上にＯＳＤ表示させるためのものであり、同期分離部１４−ＡおよびＯＳＤ制御部１４−Ｂを有する。オンスクリーンディスプレイ手段１４は、市販のＯＳＤチップで実現可能である。
【００２９】
撮像手段１３は、ラックキャビネット２の背面に設けられた表示装置群１０−Ｂの各表示装置１１が表示する識別情報等の表示内容を撮像する。撮像結果である映像信号は、撮像手段接続用コネクタ４２を介してオンスクリーンディスプレイ手段１４内の同期分離部１４−Ａへ送られる。同期分離部１４−Ａでは、水平（Ｈ）および垂直（Ｖ）の同期信号が分離される。分離された水平（Ｈ）および垂直（Ｖ）の同期信号は、ＯＳＤ制御部１４−Ｂへ送られる。また、水平（Ｈ）および垂直（Ｖ）の同期信号を分離した後の映像信号は、そのままビデオ出力用コネクタ４３−Ｖへ向けて送信される。例えば、この映像信号は、ビデオ出力用コネクタ４３−Ｖに接続されたコンソールドロア２１のディスプレイモニタへ出力される。
【００３０】
メイン制御部１５の役割は、映像信号の出力にＯＳＤ表示を重畳させることによって、表示装置群の各表示装置に表示させたい内容をキーボードから入力するようオペレータに対して促すことにあり、なおかつ、このように入力された表示内容を表示装置群の各表示装置に送信することにある。オペレータは、所望の情報処理装置に対応する表示装置１１に何らかの表示をさせたいときには、キーボードを用いて、ＯＳＤ表示のための所定のホットキー操作を行う。
【００３１】
メイン制御部１５は、キーボード接続用コネクタ４３−Ｋを介してキーボードの入力信号を受け取る。メイン制御部１５は、受け取った信号がＯＳＤ表示のホットキーか否かを判断する。ＯＳＤ表示のホットキーである場合、メイン制御部１５は、ＯＳＤ表示のコマンドをＯＳＤ制御部１４−Ｂへ送信し、ＯＳＤ制御部１４−Ｂは、このコマンドに従った表示を、取得した水平（Ｈ）および垂直（Ｖ）の同期信号にあわせて表示する。このときの表示内容は、例えば「どの表示装置の表示内容を編集したいか」に関するものであり、この表示内容は、オンスクリーンディスプレイ手段１４によってディスプレイモニタ上にＯＳＤ表示される。オペレータは、編集したい表示装置の識別情報をキーボード入力すると共に、表示させたい文字列をキーボード入力する。例えば、「１」番の表示装置に「Ｗｉｎｄｏｗｓ（登録商標）２０００サーバ」という文字列を表示させる、といった具合である。メイン制御部１５は、このように入力された表示内容に関するデータを表示装置群の各表示装置に送信する。このときのデータは、オペレータ所望の表示装置のアドレス情報および当該表示装置に表示させたい表示内容に関するデータからなる。当該データは、表示装置群接続用コネクタ４１−Ｆおよび４１−Ｂを介して表示装置群１０−Ｆおよび１０−Ｂへ送られる。各表示装置１１は受信したデータのアドレス情報を常に監視しており、受信したデータが自身のアドレス情報を示すものであった場合には、表示内容に関するデータを受け取る。そして表示装置１１はこの表示内容をディスプレイに表示する。これにより、オペレータは所望の情報処理装置に対応する表示装置の表示内容を書き換える（編集する）ことができるので、情報処理装置の視覚的なネーミング（名前付け）を簡単に行うことができる。したがって、本発明によれば、システム構築後に設計変更があっても、サーバの搭載状況を容易に管理することができる。
【００３２】
図８は、本発明の実施例よるラック管理システム内の撮像手段が撮像した映像の一例を示す図である。上述のように、本実施例では、撮像手段１３は、ラックキャビネット２の背面に設けられた表示装置群１０−Ｂの各表示装置１１が表示する識別情報等の表示内容を撮像する。撮像結果である映像信号を、ビデオ出力用コネクタ４３−Ｖに接続されたコンソールドロア２１のディスプレイモニタ２１−Ｖへ出力すると、図８に例示するような映像が表示される。すなわち、ディスプレイモニタ２１−Ｖには、ラックキャビネット２の背面において、ラックに搭載されたサーバ３はどの電源分配装置（ＰＤＵ）４のポートに電源ケーブル５を介して接続されているかを、対応する表示装置１１が、サーバ３の識別番号を表示することにより示していることをディスプレイしている。これにより、ラックに搭載されたサーバはどの電源分配装置（ＰＤＵ）のポートに接続されているかといった運用管理が容易となる。
【００３３】
上述の実施例では、ケーブル１１を用いて制御装置１２と各表示装置１１とを電気的に接続していたが、この変形例として、無線通信手段を用いて電気的に接続するようにしてもよい。図９は、本発明の実施例の変形例によるラック管理システム内の制御装置のブロック図である。また、図１０は、本発明の実施例の変形例によるラック管理システム内の表示装置の外観図である。本変形例では、制御装置１２と表示装置１１との間で無線通信するために、図９に示すように、制御装置１２には無線制御部５１および無線アンテナ５２が設けられる。なお、これ以外の回路構成要素については図７に示す回路構成要素と同様であるので、同一の回路構成要素には同一符号を付して当該回路構成要素についての詳細な説明は省略する。
【００３４】
図９に示す無線制御部５１は、無線アンテナ５２を介して、表示装置１１が表示する情報処理装置の搭載状況に関する情報についての表示内容の書き換えを指示するコマンドおよび当該情報処理装置の新たなる搭載状況に関する情報を、表示装置１１へ無線送信する。このときの無線信号は、全ての表示装置１１に対してパラレルで送信される。したがって、この無線信号は、オペレータ所望の表示装置のアドレス情報および当該表示装置に表示させたい表示内容に関するデータからなる。
【００３５】
また、本変形例では、制御装置１２と表示装置１１との間で無線通信するために、図１０に示すように、表示装置１１にも無線アンテナ５３および無線制御部（図示せず）を備える。図１０に示す表示装置１１は、ラックキャビネット中の各ラックに搭載された情報処理装置の搭載状況に関する情報の書き換えを指示するコマンドおよび当該情報処理装置の新たなる搭載状況に関する情報を、無線アンテナ５３を介して受信する。各表示装置１１は、無線アンテナ５３を介して受信したデータのアドレス情報を常に監視しており、受信したデータが自身のアドレス情報を示すものであった場合には、表示内容に関するデータを受け取る。そして表示装置１１はこの表示内容をディスプレイに表示する。なお、本変形例における表示装置１１の電力は各種バッテリやソーラー発電などの内部電源でまかなう。
【００３６】
図１１は、本発明の実施例によるラック管理システムをラックキャビネットに組み込んだ場合を例示するシステムブロック図である。図示の例では、ラックキャビネットにｎ台（ただし、ｎは正の整数、以下同様。）のサーバ３−１、３−２、・・・、３−ｎを搭載し、そのそれぞれに対応して、ラックキャビネットの前面には表示装置１１−１Ｆ、１１−２Ｆ、１１−３Ｆ、・・・、１１−ｎＦからなる表示装置群１０−Ｆが設けられ、ラックキャビネットの背面には表示装置１１−１Ｂ、１１−２Ｂ、１１−３Ｂ、・・・、１１−ｎＢからなる表示装置群１０−Ｂが設けられる。その他、ラック管理システム１の構成については図７を参照して説明したとおりである。
【００３７】
制御装置１２は、キーボード接続用コネクタ４３−Ｋ、ビデオ接続用コネクタ４３−Ｖおよびマウス接続用コネクタ４３−Ｍを有するので、市販のＫＶＭ（Ｋ：Ｋｅｙｂｏａｒｄ、Ｖ：Ｖｉｄｅｏ、Ｍ：Ｍｏｕｓｅ）スイッチ６のポートに接続することができる。ＫＶＭスイッチ６は、コンソールドロア２と、サーバ３−１、３−２、・・・、３−ｎとの間に接続され、コンソールドロア２１とサーバ３−１、３−２、・・・、３−ｎとの間の通信接続を適宜切り替える。ＫＶＭスイッチ６は、電気的接続を切り替えるスイッチ部６１およびコンソールインタフェース（Ｉ／Ｆ）６２を備える。ユーザはこのＫＶＭスイッチ６を用いることによって、サーバ３−１、３−２、・・・、３−ｎの中からコンソールドロア２に接続すべきサーバを選択して利用することができる。図示の例では、制御装置１２はがポートＰ−０に接続され、サーバ３−１、３−２、・・・、３−ｎがポートＰ−１、Ｐ−２、・・・、Ｐ−ｎに接続される。
【００３８】
ＫＶＭスイッチ６のポート４４−Ｋ、４４−Ｖおよび４４−Ｍには、コンソールドロア２１のキーボード２１−Ｋ、ディスプレイモニタ２１−Ｖおよびマウス２１−Ｍが接続される。例えばサーバメンテナンスの際には、コンソールドロア２１が操作される。例えばオペレータがＫＶＭスイッチのポートＰ−０を選択すると、撮像手段１３が撮像したラックキャビネットの背面に設置された表示装置群の映像を、ディスプレイモニタ２１−Ｖに表示させることができる。
【００３９】
また、上述したように、オペレータは、所望の情報処理装置に対応する表示装置１１−１Ｆ、１１−２Ｆ、・・・、１１−ｎＦ、１１−１Ｂ、１１−２Ｂ、・・・、もしくは１１−ｎＢに何らかの表示をさせたいときや表示内容を書き換えたいときには、キーボード２１−Ｋを用いて所定のホットキー操作を行う。そして、オペレータは、編集したい表示装置の識別情報（アドレス情報）をキーボード２１−Ｋを用いて入力すると共に、表示させたい文字列をキーボード２１−Ｋを用いて入力する。例えば、サーバ３−２がＷｉｎｄｏｗｓ（登録商標）２０００サーバである場合において、サーバ３−２に対応するラックキャビネットの背面の２番目の表示装置１１−２Ｂに「Ｗｉｎｄｏｗｓ（登録商標）２０００サーバ」という文字列を表示させる場合は、キーボード２１−Ｋを用いて、ラックキャビネットの背面の２番目の表示装置１１−２Ｂのアドレス情報と、「Ｗｉｎｄｏｗｓ（登録商標）２０００サーバ」という文字列とを入力する。これにより表示装置１１−２Ｂには「Ｗｉｎｄｏｗｓ（登録商標）２０００サーバ」と表示される。このような編集作業が終了したら、オペレータはＫＶＭスイッチ６を切り替えてポートを選択することによって、コンソールドロア２１のディスプレイモニタ２１−Ｖに通常のサーバ画面を表示させることができる。
【００４０】
図１２は、本発明の実施例の変形例によるラック管理システム内の制御装置のブロック図である。本変形例では、制御装置１２にネットワーク機能を持たせ、サーバ情報を管理するデータベース８から情報を得ることによって表示装置に表示させる表示内容を編集するものである。制御装置１２は、ネットワーク制御部１７およびネットワーク接続用コネクタ４５を備え、そしてネットワーク接続用コネクタ４５には、ネットワーク７を介してデータベース８が接続される。なお、これ以外の回路構成要素については図７に示す回路構成要素と同様であるので、同一の回路構成要素には同一符号を付して当該回路構成要素についての詳細な説明は省略する。
【００４１】
図１２に示すデータベース８にはサーバ情報が保存されており、制御装置１２内のメイン制御部１５がクエリを発行してデータベース８からサーバ情報に関するデータを取得する。メイン制御部１５は、取得したデータを表示装置用コネクタ４１−Ｆおよび４１−Ｂに送信する。これ以降の処理は図７を参照して説明したとおりであり、すなわち各表示装置は受信したデータのアドレス情報を常に監視しており、受信したデータが自身のアドレス情報を示すものであった場合には、表示内容に関するデータ（この場合、サーバ名に関するデータ）を受け取る。そして表示装置はこの表示内容をディスプレイに表示する。これにより、オペレータはキーボードを用いた文字入力をすることなく、所望の情報処理装置に対応する表示装置の表示内容を書き換えて情報処理装置の視覚的なネーミング（名前付け）を簡単に行うことができる。
【００４２】
図１３は、図１２に示した制御装置のさらなる変形例を示すブロック図である。本変形例は、図１２に示した制御装置１２において、制御装置１２と表示装置との間で無線通信するために、図９を参照して説明したような無線制御部５１および無線アンテナ５２を設けたものである。なお、これ以外の回路構成要素については図９および１２に示す回路構成要素と同様であるので、同一の回路構成要素には同一符号を付して当該回路構成要素についての詳細な説明は省略する。図１３に示す制御装置１２内のメイン制御部１５がクエリを発行してデータベース８からサーバ情報に関するデータを取得する。無線制御部５１は、メイン制御部１５から送られてきたサーバ情報を無線出力用の信号へ変換する。無線アンテナ５２はこの無線信号を電波として各表示装置へ向けて送信する。
【００４３】
図１４は、本発明の実施例の変形例によるラック管理システム内の制御装置のブロック図である。本変形例では、サーバ情報（例えばサーバ名）をバーコード管理したものであり、バーコードリーダ９を用いてサーバ情報を読み取る。これにより、表示装置に表示させる表示内容を編集する。制御装置１２は、シリアル通信用コネクタ４６を備え、このシリアル通信用コネクタ４６には、バーコードリーダ９が接続される。なお、これ以外の回路構成要素については図７に示す回路構成要素と同様であるので、同一の回路構成要素には同一符号を付して当該回路構成要素についての詳細な説明は省略する。
【００４４】
「Ｗｉｎｄｏｗｓ（登録商標）２０００」、「Ｗｉｎｄｏｗｓ（登録商標）２０００サーバ」、「Ｗｉｎｄｏｗｓ（登録商標）２００３サーバ」などの名称をバーコード表にして予め作成しておく。オペレータは、所望の情報処理装置の名称を示すバーコードをバーコードリーダで読み取り、データを取得する。メイン制御部１５は、取得したデータを表示装置用コネクタ４１−Ｆおよび４１−Ｂに送信する。これ以降の処理は図７を参照して説明したとおりであり、すなわち各表示装置は受信したデータのアドレス情報を常に監視しており、受信したデータが自身のアドレス情報を示すものであった場合には、表示内容に関するデータ（この場合、サーバ名に関するデータ）を受け取る。そして表示装置はこの表示内容をディスプレイに表示する。これにより、オペレータはキーボードを用いた文字入力をすることなく、所望の情報処理装置に対応する表示装置の表示内容を書き換えて情報処理装置の視覚的なネーミング（名前付け）を簡単に行うことができる。
【００４５】
図１５は、図１４に示した制御装置のさらなる変形例を示すブロック図である。本変形例は、図１４に示した制御装置１２において、制御装置１２と表示装置との間で無線通信するために、図９を参照して説明したような無線制御部５１および無線アンテナ５２を設けたものである。なお、これ以外の回路構成要素については図９および１４に示す回路構成要素と同様であるので、同一の回路構成要素には同一符号を付して当該回路構成要素についての詳細な説明は省略する。図１５に示す制御装置１２内のメイン制御部１５は、バーコードリーダ９が読み取ったデータを取得する。無線制御部５１は、メイン制御部１５から送られてきたサーバ情報を無線出力用の信号へ変換する。無線アンテナ５２はこの無線信号を電波として各表示装置へ向けて送信する。
【００４６】
サーバ情報の取得方法として、上述のデータベースによる方法とバーコードリーダによる方法とで選択可能にしてもよい。図１６は、本発明の実施例におけるサーバ情報の取得方法の選択画面の一例を例示する図である。例えばコンソールドロアのキーボードを用いて所定のホットキー操作を行うことで、コンソールドロアのディスプレイモニタ２１−Vにサーバ情報の取得方法の選択画面を呼び出しようする。この選択画面では「データベースのサーバ情報取得」および「バーコードのサーバ情報取得」という項目を表示させる。オペレータはマウスやキーボードを操作することでこれら項目を選択できるようにする。そして選択されたサーバ情報の取得方法について、既に説明した処理を実行する。
【００４７】
図１７は、本発明の実施例によるラック管理システムの画像処理についての変形例を示すブロック図である。本変形例では、各表示装置が表示する識別情報を撮像する撮像手段を複数接続するために、複数の撮像手段接続用コネクタ４２−１、４２−２および４２−３を備える。画像処理部１８は、撮像手段接続用コネクタ４２−１、４２−２および４２−３を介して受信したアナログの映像信号をディジタルに変換し、メイン制御部１５へ送る。メモリ１６には各撮像手段による撮像結果をディスプレイモニタの画面上に表示させるための制御プログラムが格納されており、メイン制御部１４は、この制御プログラムを実行し、ビデオＣｈｉｐ１９を用いて、ビデオ接続用コネクタ４３−Ｖを介して接続されたコンソールドロアのディスプレイモニタの画面上に撮像手段による撮像結果を表示する。なお、これ以外の回路構成要素については図７に示す回路構成要素と同様であるので、同一の回路構成要素には同一符号を付して当該回路構成要素についての詳細な説明は省略する。
【産業上の利用可能性】
【００４８】
本発明は、ラックキャビネット中の各ラックに搭載されるサーバ等の情報処理装置の搭載状況を管理するラック管理システムに適用することができる。
【００４９】
本発明によれば、ラックキャビネットのシステムを構築した設計者以外の人であっても、どのサーバ（情報処理装置）をラックキャビネットのどの段のラックに搭載したかを容易に把握することができる。また、ラックに搭載されたサーバはどの電源分配装置（ＰＤＵ）のポートに接続されているかについても容易に把握することができる。
【００５０】
例えばラックキャビネットの背面の配線を点検する際、従来のようにラックキャビネットの背面に回りこまなくとも、ラックキャビネットの前面に設けられたコンソールドロアのディスプレイモニタの表示を確認するだけで済む。したがって、サーバ間の配線が複雑であったり、設置スペースに余裕がないような場合であっても、ラックキャビネット内のサーバの搭載状況を容易に把握することができる。
【００５１】
また、本発明によれば、オペレータは所望の情報処理装置に対応する表示装置の表示内容を書き換える（編集する）ことができるので、情報処理装置の視覚的なネーミング（名前付け）を簡単に行うことができる。したがって、システム構築後に設計変更があっても、サーバの搭載状況を容易に管理することができる。
【図面の簡単な説明】
【００５２】
【図１】本発明の実施例によるラック管理システムの前面図である。
【図２】本発明の実施例によるラック管理システムの背面図である。
【図３】本発明の実施例による表示装置を示す外観図である。
【図４】本発明の実施例における表示装置の装着手段を示す前面図である。
【図５】本発明の実施例における表示装置の装着手段を示す背面図である。
【図６】ケーブルの巻き取り機構を示す図である。
【図７】本発明の実施例によるラック管理システムのブロック図である。
【図８】本発明の実施例よるラック管理システム内の撮像手段が撮像した映像の一例を示す図である。
【図９】本発明の実施例の変形例によるラック管理システム内の制御装置のブロック図である。
【図１０】本発明の実施例の変形例によるラック管理システム内の表示装置の外観図である。
【図１１】本発明の実施例によるラック管理システムをラックキャビネットに組み込んだ場合を例示するシステムブロック図である。
【図１２】本発明の実施例の変形例によるラック管理システム内の制御装置のブロック図である。
【図１３】図１２に示した制御装置のさらなる変形例を示すブロック図である。
【図１４】本発明の実施例の変形例によるラック管理システム内の制御装置のブロック図である。
【図１５】図１４に示した制御装置のさらなる変形例を示すブロック図である。
【図１６】本発明の実施例におけるサーバ情報の取得方法の選択画面の一例を例示する図である。
【図１７】本発明の実施例によるラック管理システムの画像処理についての変形例を示すブロック図である。
【図１８】典型的なラックマウントシステムを例示する外観図である。
【符号の説明】
【００５３】
１    ラック管理システム
２    ラックキャビネット
３    サーバ
１０−Ｆ、１０−Ｂ    表示装置群
１１    表示装置
１２    制御装置
１３    撮像手段
１４    オンスクリーンディスプレイ手段
１４−Ａ    同期分離部
１４−Ｂ    ＯＳＤ制御部
１５    メイン制御部
１６    メモリ
１７    ネットワーク制御部
１８    画像処理部
１９    ビデオＣｈｉｐ
２０−Ｆ、２０−Ｂ    扉
２１    コンソールドロア
２１−Ｖ    ディスプレイモニタ
３１    ケーブル
３２    支持板
３３    ネジ孔
３４    ネジ
３５    ラック取付孔
３６    連結ジャック
３７    連結プラグ
３８    ケーブル巻き取り機構
４１−Ｆ、４１−Ｂ    表示装置群接続用コネクタ
４２、４２−１、４２−２、４２−３    撮像手段接続用コネクタ
４３−Ｋ    キーボード接続用コネクタ
４３−Ｍ    マウス接続用コネクタ
４３−Ｖ    ビデオ接続用コネクタ
４５    ネットワーク接続用コネクタ
４６    シリアル通信用コネクタ
【図１】
2008217241.tif 000003
【図２】
2008217241.tif 000004
【図３】
2008217241.tif 000005
【図４】
2008217241.tif 000006
【図５】
2008217241.tif 000007
【図６】
2008217241.tif 000008
【図７】
2008217241.tif 000009
【図８】
2008217241.tif 000010
【図９】
2008217241.tif 000011
【図１０】
2008217241.tif 000012
【図１１】
2008217241.tif 000013
【図１２】
2008217241.tif 000014
【図１３】
2008217241.tif 000015
【図１４】
2008217241.tif 000016
【図１５】
2008217241.tif 000017
【図１６】
2008217241.tif 000018
【図１７】
2008217241.tif 000019
【図１８】
2008217241.tif 000020